(57)【特許請求の範囲】
【請求項１】
外部から入力された映像信号に所定の信号処理を施して出力する映像信号変換部と、
前記映像信号の蓄積及び再生を行う記録再生部と、
前記映像信号変換部から出力された第１の映像信号と、前記記録再生部で再生された映像信号の再生位相を、前記映像信号変換部での前記信号処理に要する時間であるＮ（Ｎは自然数）フレーム分だけシフトさせた映像信号である第２の映像信号とを、選択的に切り替えて出力する出力信号切替部と、
前記第１の映像信号と前記第２の映像信号とのいずれかを切り替えて、前記映像信号を画像として表示する表示部に出力させるモードである編集モードが、当該記録再生装置の制御を行う編集装置によって選択された場合であって、前記編集装置により編集開始点の指定がされた場合は、前記出力信号切替部に前記第１の映像信号を選択させ、前記編集装置によって前記編集モードが選択された場合であって、前記編集装置により編集終了点の指定がされた場合は、前記出力信号切替部に前記第２の映像信号を選択させ、前記記録再生部で再生された映像信号を前記表示部に出力させるモードである通常モードが前記編集装置によって選択された場合には、前記記録再生部で再生された前記映像信号を前記表示部に出力させ、前記編集モードが選択された場合にも、前記編集装置に出力するタイムコードの位相は基準位相のままとする制御部とを備えた、
記録再生装置。
【請求項２】
前記所定の信号処理には、前記映像信号のアップコンバート処理、前記映像信号のダウンコンバート処理が含まれる
請求項１記載の記録再生装置。
【請求項３】
外部から入力された音声信号を一時的に蓄積する入力バッファをさらに備え、
前記記録再生部は前記入力バッファから出力された前記音声信号の蓄積及び再生を行い、
前記制御部は、前記通常モードの選択時には、前記記録再生部で再生された音声信号を、前記音声信号を音声として放音するスピーカに出力させ、前記編集モードの選択時には、前記入力バッファから出力された第１の音声信号と、前記記録再生部で再生された音声信号に前記映像信号変換部での前記信号処理に要する時間分の遅延を加えた第２の音声信号とのいずれかを切り替えて前記スピーカに出力させる
請求項１又は２に記載の記録再生装置。
【請求項４】
外部から入力された映像信号に所定の信号処理を施して出力するステップと、
前記映像信号の蓄積及び再生を行うステップと、
前記信号処理が施された第１の映像信号と、前記再生された映像信号の再生位相を、前記信号処理に要する時間であるＮ（Ｎは自然数）フレーム分だけシフトさせた映像信号である第２の映像信号とを切り替えて、前記映像信号を画像として表示する表示部に出力させるモードである編集モードが、前記映像信号の再生又は編集を制御する編集装置によって選択された場合であって、前記編集装置により編集開始点の指定がされた場合は、前記第１の映像信号を選択し、前記編集装置によって前記編集モードが選択された場合であって、前記編集装置により編集終了点の指定がされた場合は、前記第２の映像信号を選択し、前記再生された映像信号を前記表示部に出力させるモードである通常モードが前記編集装置によって選択された場合には、前記再生された前記映像信号を前記表示部に出力し、前記編集モードが選択された場合にも、前記編集装置に出力するタイムコードの位相は基準位相のままとするステップとを
含む
記録再生制御方法。
【請求項５】
映像信号の再生を行って出力する再生装置と、
前記再生装置から入力された映像信号に所定の信号処理を施して出力する映像信号変換部と、
前記映像信号の蓄積及び再生を行う記録再生部と、
前記映像信号変換部から出力された第１の映像信号と、前記記録再生部で再生された映像信号の再生位相を、前記映像信号変換部での前記信号処理に要する時間であるＮ（Ｎは自然数）フレーム分だけシフトさせた映像信号である第２の映像信号とを、選択的に切り替えて出力する出力信号切替部と、
前記第１の映像信号と前記第２の映像信号とのいずれかを切り替えて、前記映像信号を画像として表示する表示部に出力させるモードである編集モードが、当該記録再生装置の制御を行う編集装置によって選択された場合であって前記編集装置により編集開始点の指定がされた場合は、前記出力信号切替部に前記第１の映像信号を選択させ、前記編集装置によって前記編集モードが選択された場合であって、前記編集装置により編集終了点の指定がされた場合は、前記出力信号切替部に前記第２の映像信号を選択させ、前記記録再生部で再生された映像信号を前記表示部に出力させるモードである通常モードが前記編集装置によって選択された場合には、前記記録再生部で再生された前記映像信号を前記表示部に出力させ、前記編集モードが選択された場合にも、前記編集装置に出力するタイムコードの位相は基準位相のままとする制御部とを備えた記録再生装置と、
前記再生装置及び前記記録再生装置に対して、モードの設定を含む制御を行う編集装置とを備えた
編集システム。
【発明の詳細な説明】
【技術分野】
【０００１】
本発明は、例えば、外部から入力した映像信号及び音声信号を記録・再生することなく出力するＥＥモード機能を有する記録装置等に適用して好適な記録再生装置と、その記録再生装置の制御方法、及び編集システムに関する。
【背景技術】
【０００２】
映像コンテンツの制作分野で使用される編集装置として、再生装置（プレーヤ）と記録装置（レコーダ）の２台を制御する機能を有する編集装置が従来から存在している。この編集装置でプレーヤ（再生側）とレコーダ（記録側）を制御することにより、アセンブル編集やインサート編集を行うことができる。
【０００３】
例えばインサート編集においては、編集装置に対してユーザより編集ＩＮ（開始）点を指定する操作が入力されたタイミングで、レコーダで再生中の下地の素材（映像）をプレーヤで再生中の映像に差し替えることを行う。そして、編集装置に対して編集ＯＵＴ（終了）点を指定する操作が入力されたタイミングで差し替えを終了させ、再び下地の映像に切り替えることを行う。
【０００４】
つまり編集装置では、プレーヤとレコーダに対して、編集ＩＮ点と編集ＯＵＴ点を指示することを行う。また、プレーヤで再生中の編集用の映像の時間上の位置と、レコーダ側で再生中の下地の映像の時間上の位置とが一致するように、両装置の再生位置をタイムコードに基づいて制御することも行っている。
【０００５】
また編集装置では、編集ＩＮ点及び編集ＯＵＴ点の指示を行う際に、プレーヤ、レコーダのそれぞれに記録されている映像の出力を切り替えて、１台のビデオモニタの画面上にそれぞれの映像を表示することも行う。これによりユーザは、１つの画面上で編集用と素材の両方の映像を見ながら、編集ＩＮ点と編集ＯＵＴ点を設定することができる。
【０００６】
図５は、このように構成された従来の編集システム５０の構成例を示す図である。編集システム５０には、エディタ１００と、プレーヤ２００と、レコーダ３００と、ビデオモニタ４００と、スピーカ５００とが含まれる。
【０００７】
エディタ１００は、その操作パネル（図示略）の操作に基づいてレコーダ３００とプレーヤ２００を制御する機能を有する編集装置である。
【０００８】
プレーヤ２００は、エディタ１００による制御に基づいて編集用の映像／音声を再生し、再生された映像信号及び音声信号をレコーダ３００に出力する。レコーダ３００は、エディタ１００による制御に基づいて、レコーダ３００から出力された映像／音声信号又は自装置で再生した映像／音声信号のいずれかを、ビデオモニタ４００とスピーカ５００に出力する。
【０００９】
レコーダ３００がプレーヤ２００から入力された映像／音声信号を出力する際には、ＥＥ（Electric-to-Electric）モード機能が使用される。ＥＥモード機能とは、外部から映像入力端子及び音声入力端子（図示略）に入力した映像／音声信号を、記録・再生することなく映像出力端子及び音声出力端子（図示略）から出力する機能である。以下の説明では、ＥＥモード機能によってレコーダ３００から出力されるプレーヤ２００による再生映像又は音声の出力を、「ＥＥ出力」と称する。また、ここまで述べたような、編集時の状態をビデオモニタ４００やスピーカ５００に出力するための制御を、Ｒ−Ｐ−Ｒ（Recorder-Player-Recorder）制御と称する。
【００１０】
図６は、従来のＲ−Ｐ−Ｒ制御の例を示した図である。図６の横軸は時間方向を示し、“−３”，“−２”等の数値は、編集ＩＮ点（“０”）を基準とした映像信号のフレームを示している。図６（ａ）には、ＥＥ出力を示してあり、図６（ｂ）にはレコーダ３００で再生した映像の出力（レコーダ再生出力）を示してある。図６（ｃ）には、Ｒ−Ｐ−Ｒ制御によりレコーダ３００から出力される映像信号を、「Ｒ−Ｐ−Ｒ制御出力」として示している。なお、図６では映像信号における制御の例を示したが、音声信号においても同様の制御が行われる。
【００１１】
エディタ１００によって編集ＩＮ点が設定されると、Ｒ−Ｐ−Ｒ制御により、図６（ａ）に示したＥＥ出力による映像がビデオモニタ４００及びスピーカ５００に出力される（図６（ｃ））。そして、エディタ１００によって編集ＯＵＴ点が設定されると、図６（ｂ）に示したレコーダ３００により再生中の映像信号が、レコーダ３００からビデオモニタ４００に出力される（図６（ｃ））。
【００１２】
ところが、実際には、ＥＥ出力とレコーダ再生出力の双方において、図６に示したように編集ＩＮ点と編集ＯＵＴ点に対応するフレームの位置が完全に一致していることはない。プレーヤ２００で再生中の映像信号をレコーダ３００からＥＥモード機能によって出力する際に、信号処理による遅延が発生するためである。すなわち、レコーダ３００によってＡ／Ｄ（Analog／Digital）変換処理や伝送形態の変換処理等の信号処理が行われることにより、ＥＥ出力の出力タイミングが少し遅れてしまうことになる。
【００１３】
図７は、数ライン程度のＥＥ遅延が発生している場合のＲ−Ｐ−Ｒ制御の例を示したものである。図７において、図６と対応する箇所には同一の符号を付してある。図７に示す例では、編集ＩＮ点が設定された時点では、図７（ｂ）に示すように、レコーダ３００からはフレーム“−１”の後半部分が出力されている。
【００１４】
つまり、図７（ｄ）に示すように、レコーダ３００からのＲ−Ｐ−Ｒ制御出力においても、編集ＩＮ点の指定時にはフレーム“−１”の後半部分の映像信号が出力されてしまう。これにより、ビデオモニタ４００の画面上に、フレーム“−１”の映像とフレーム“０”の映像とが混在した映像が表示されることになる。しかし、図７に示した例のようにＥＥ遅延の量が数ライン程度であれる場合には、ビデオモニタ４００での表示映像にずれが発生していても、編集ＩＮ点や編集ＯＵＴ点の設定を行うことはできる。
【００１５】
ところで、レコーダ３００が従来のようにＳＤ（Standard Definition）信号のみを扱っていた場合は、ＥＥ遅延の量は数ライン程度で済んでいた。しかし、ＨＤ（High Definition）信号のように情報量の多い映像信号も扱うようになってからは、ＥＥ遅延の量はフレーム単位といった大きなものとなってしまっていた。ＨＤ信号を扱うレコーダ３００には、ＳＤ信号との変換プロセスやＩＰ（Interlace-Progressive）変換プロセスが搭載されるのが一般的であり、これらの信号処理に、フレームに換算して１〜２フレーム程度の時間がかかってしまうためである。つまり、この処理時間分だけ、ＥＥ信号に遅延が発生することになる。
【００１６】
このように、例えばＥＥ遅延の量が１フレーム以上等の大きなものである場合には、これまでの同様のＲ−Ｐ−Ｒ制御を行うと、ビデオモニタ４００の画面上に表示されているフレームと実際に編集点が設定されるフレームとにずれが生じてしまうことになる。すなわち、編集ＩＮ点と編集ＯＵＴ点を適切に設定することができなくなってしまう。
【００１７】
このような問題を解決する手法の１つとして、実際にレコーダ３００において編集・記録した結果を再生して、ビデオモニタ４やスピーカ５に出力する手法が知られている。このような再生手法は「コンフィ再生」と呼ばれており、コンフィ再生については例えば特許文献１に記載されている。
【００１８】
図８は、１フレームのＥＥ遅延が発生している場合のＲ−Ｐ−Ｒ制御の例を示したものである。図８に示した例では、レコーダ３００がコンフィ再生を行うことにより、プレーヤ２００による再生映像の再生位置とレコーダ３００による再生映像の再生位置とのずれの問題を解消している。
【００１９】
図８（ａ）には、プレーヤ２００で再生されている映像信号を「プレーヤ出力」として示してあり、図８（ｂ）にはレコーダ３００からのＥＥ出力を示してある。また、図８（ｃ）にはレコーダ３００で再生した映像の出力（レコーダ再生出力）を示してあり、図８（ｄ）には、レコーダ３００によってコンフィ再生された映像信号が「レコーダコンフィ出力」として示されている。
【００２０】
図８に示した例では、ＥＥ遅延の量が１フレームであることを想定しているため、編集ＩＮ点の設定時点で、図８（ａ）に示したプレーヤ出力と図８（ｂ）に示したＥＥ出力とに１フレーム分のずれが生じてしまっている。つまり、プレーヤ２００からはフレーム“０”の映像信号が出力されているが、レコーダ３００を経由して出力されるＥＥ出力においては、フレーム“−１”の映像信号が出力されている。
【００２１】
一方、レコーダ３００においては、コンフィ再生を行っていることにより、図８（ｃ）に示したレコーダ３００で再生中の映像信号に対して、図８（ｄ）に示したコンフィ再生中の映像信号に、２フレーム分の遅れが生じている。
【００２２】
この遅延は、コンフィ再生を行うことにより発生するものであり、数フレーム以上の遅延量となるのが通常である。コンフィ再生による制御方式では、レコーダ３００において記録の信号処理や再生の信号処理をすべて行ってから信号が出力されるため、Ｒ−Ｐ−Ｒ制御の結果が得られるまでの時間が長くなってしまうという問題がある。
【００２３】
しかし、コンフィ再生のプロセス遅延が発生するとしても、このようにコンフィ再生を行うことにより、ビデオモニタ４の画面上に表示されているフレームと実際に編集点が設定されたフレームとの間にずれが発生してしまう問題は、解消することができる。つまり、Ｒ−Ｐ−Ｐ制御を行った場合と実質的に同等の結果を得ることができる。
【先行技術文献】
【特許文献】
【００２４】
【特許文献１】特開２００１−２６６４８３号公報
【発明の概要】
【発明が解決しようとする課題】
【００２５】
ところで、レコーダ３００の記録媒体として、テープのようなリニアメディアを使用する場合には、コンフィ再生により生ずる遅延は数フレーム程度で済む。これに対して、ディスクのようにランダムアクセス可能な記録媒体を用いる場合には、コンフィ再生の出力までに数秒以上かかってしまうケースがほとんどである。
【００２６】
Ｒ−Ｐ−Ｒ制御は、プレーヤ２００及びレコーダ３００で再生中の映像をビデオモニタ４００（及びスピーカ５００）で確認しながら編集点を決める、いわゆるリアルタイム編集で求められる機能である。従って、このように、Ｒ−Ｐ−Ｒ制御の結果が得られるまでに数秒の時間がかかってしまうのでは、実運用に耐えられないという問題があった。
【００２７】
本発明はかかる点に鑑みてなされたものであり、下地の素材による映像と編集用の映像とを画面上に切り替えて表示する制御を、リアルタイム性を損なうことなく実現することを目的とする。
【課題を解決するための手段】
【００２８】
本発明の記録再生装置は、外部から入力された映像信号に所定の信号処理を施して出力する映像信号変換部と、映像信号の蓄積及び再生を行う記録再生部とを備える。さらに、映像信号変換部から出力された第１の映像信号と、記録再生部で再生された映像信号の再生位相を、映像信号変換部での信号処理に要する時間であるＮ（Ｎは自然数）フレーム分だけシフトさせた映像信号である第２の映像信号とを、選択的に切り替えて出力する出力信号切替部を備える。さらに、第１の映像信号と第２の映像信号とのいずれかを切り替えて、映像信号を画像として表示する表示部に出力させるモードである編集モードが、当該記録再生装置の制御を行う編集装置によって選択された場合であって、編集装置により編集開始点の指定がされた場合は、出力信号切替部に第１の映像信号を選択させ、編集装置によって編集モードが選択された場合であって、編集装置により編集終了点の指定がされた場合は、出力信号切替部に第２の映像信号を選択させ、記録再生部で再生された映像信号を表示部に出力させるモードである通常モードが編集装置によって選択された場合には、記録再生部で再生された映像信号を表示部に出力させ、編集モードが選択された場合にも、編集装置に出力するタイムコードの位相は基準位相のままとする制御部とを備える。
【００２９】
このように構成したことで、編集モード選択時には、記録再生部で再生された映像信号に映像信号変換部での信号処理に要する時間分の遅延を加えた第２の映像信号と、映像信号変換部から出力された第１の映像信号とが切り替えられて表示部に表示される。これにより、プロセス遅延が大きくなるコンフィ再生を行うことなく、外部入力信号と再生信号による映像を、それぞれの再生位相が一致した状態で表示部の画面上に表示できるようになる。
【発明の効果】
【００３０】
本発明によると、外部入力信号と再生信号による映像を切り替えて画面上に表示させる制御を、リアルタイム性を損なうことなく実現することができる。
【図面の簡単な説明】
【００３１】
【図１】本発明の一実施の形態による編集システムの構成例を示すブロック図である。
【図２】本発明の一実施の形態によるレコーダの内部構成例を示すブロック図である。
【図３】本発明の一実施の形態によるＲ−Ｐ−Ｒ制御の例を示すフローチャートである。
【図４】本発明の一実施の形態によるＲ−Ｐ−Ｒ制御の例を示す説明図であり、（ａ）はプレーヤからの再生出力を示し、（ｂ）はレコーダからのＥＥ出力を示し、（ｃ）は通常モードにおけるレコーダからの再生出力を示し、（ｄ）は編集モードにおけるレコーダからの再生出力を示し、（ｅ）はＲ−Ｐ−Ｒ制御に基づくレコーダからの出力を示す。
【図５】従来の編集システムの構成例を示すブロック図である。
【図６】従来のＲ−Ｐ−Ｒ制御の例を示す説明図であり、（ａ）はレコーダからのＥＥ出力を示し、（ｂ）はレコーダからの再生出力を示し、（ｃ）はＲ−Ｐ−Ｒ制御に基づくレコーダからの出力を示す。
【図７】従来の、ＥＥ遅延量が少ない場合のＲ−Ｐ−Ｒ制御の例を示す説明図であり、（ａ）はプレーヤからの再生出力を示し、（ｂ）はレコーダからのＥＥ出力を示し、（ｃ）はレコーダからの再生出力を示し、（ｄ）はＲ−Ｐ−Ｒ制御に基づくレコーダからの出力を示す。
【図８】従来の、ＥＥ遅延量が多い場合のＲ−Ｐ−Ｒ制御の例を示す説明図であり、（ａ）はプレーヤからの再生出力を示し、（ｂ）はレコーダからのＥＥ出力を示し、（ｃ）はレコーダからの再生出力を示し、（ｄ）はレコーダからのコンフィ再生出力を示す。
【発明を実施するための形態】
【００３２】
以下、発明を実施するための形態（以下、本例とも称する）について説明する。なお、説明は以下の順序で行う。
１．編集システムの全体構成
２．レコーダの内部構成
３．レコーダの動作
４．レコーダによるＲ−Ｐ−Ｒ制御処理の具体例
【００３３】
［１．編集システムの全体構成例］
図１は、本例の編集システムの構成例を示すブロック図である。図１に示す編集システム１０には、エディタ１と、プレーヤ２と、レコーダ３と、ビデオモニタ４と、スピーカ５とが含まれる。
【００３４】
エディタ１は、プレーヤ２とレコーダ３を制御する機能を有する編集装置である。図示せぬ操作パネルに対するユーザからの操作内容に基づいて、以下に示すような制御又は動作を行わせるための制御信号を生成して、プレーヤ２及び／又はレコーダ３に供給する。
・プレーヤ２での再生位相とレコーダ３での再生位相との調整（調走）
・プレーヤ２とレコーダ３に対するＶＴＲ動作（再生・早送り・巻戻し・録画・停止等）
・レコーダ３に対する編集点（ＩＮ点及びＯＵＴ点）の設定
・レコーダ３に対する編集モード（通常モード／編集モード）の切り替え制御
【００３５】
プレーヤ２は、エディタ１による制御に基づいて編集用の映像／音声を再生し、再生された映像／音声信号をレコーダ３に出力する。レコーダ３は、エディタ１による制御に基づいて、レコーダ３から出力された映像／音声信号又は自装置で再生した映像／音声信号のいずれかを、ビデオモニタ４とスピーカ５に出力する。
【００３６】
本例のレコーダ３は、エディタ１によって「通常モード」が設定されたときにはプレーヤとして機能し、後述する記録再生部等に記録された映像／音声信号を再生してビデオモニタ４とスピーカ５に出力する。一方、「編集モード」が設定されたときには、エディタ１から編集ＩＮ点と編集ＯＵＴ点が入力されたタイミングでＲ−Ｐ−Ｒ制御を行う。すなわち、プレーヤ２から入力された映像／音声信号と、自装置で再生した映像／音声信号とを切り替えてビデオモニタ４とスピーカ５に出力する。ここでのプレーヤ２から入力された映像／音声信号の出力は、前述したＥＥモード機能によって行われる。
【００３７】
また、エディタ１より「編集モード」が指定された場合は、自装置で再生する映像／音声信号の位相を、ＥＥモード機能を用いることにより発生するＥＥ遅延に相当する量だけシフトさせて、ビデオモニタ４とスピーカ５に出力する。レコーダ３の構成及び処理の詳細については後述する。
【００３８】
ビデオモニタ４は、ＬＣＤ（Liquid Crystal Display）等よりなり、レコーダ３からＥＥ出力又は再生出力された映像信号を画像として画面に表示する。スピーカ５は、レコーダ３からＥＥ出力又は再生出力された音声信号を音声として放音する。
【００３９】
［２．レコーダの内部構成］
次に、図２を参照して、レコーダ３の内部構成例について説明する。レコーダ３には、制御部３０と、映像信号変換部３１と、符号化部３２と、記録再生部３３と、復号化部３４と、出力信号制御部３５とが含まれる。また、入力バッファ３６と、音声記録信号処理部３７と、音声再生信号処理部３８と、出力信号制御部３９とが含まれる。
【００４０】
制御部３０は、ＣＰＵ（Central Processing Unit）等よりなり、エディタ１から入力される各種制御信号に基づいて、レコーダ３内の各ブロックの制御を行う。例えば、エディタ１から「通常モード」又は「編集モード」の選択を指示する信号が入力された場合には、モードの切り替えを制御するモード切替制御信号を生成して出力信号制御部３５と出力信号制御部３９に供給する。
【００４１】
また、制御部３０は、エディタ１から編集ＩＮ点及び編集ＯＵＴ点が入力された場合には、Ｒ−Ｐ−Ｒ制御信号を生成して出力信号制御部３５及び出力信号制御部３９に供給する。Ｒ−Ｐ−Ｒ制御信号としては、編集ＩＮ点が指定されたときにはプレーヤ２側の再生信号を選択し、編集ＯＵＴ点が指定されたときには自装置での再生信号を選択させるための制御信号が生成される。
【００４２】
映像信号変換部３１は、プレーヤ２から出力されたＨＤ信号又はＳＤ信号を入力して、所定の信号処理を施した後に出力信号制御部３５に出力する。所定の信号処理としては、Ａ／Ｄ変換処理やＤ／Ａ変換処理、伝送形態の変換処理、アップ／ダウンコンバート処理、ＩＰ変換処理等を行う。そして、映像信号変換部３１により信号処理が施された映像信号は、ＥＥ出力（第１の映像信号）として出力信号制御部３５に供給される。
【００４３】
なお、本例のレコーダ３は、この信号処理に、フレームに換算して数フレーム程度の時間がかかる場合を想定している。つまり、映像信号変換部３１から出力される映像信号には、数フレームの遅延が加わっていることになる。
【００４４】
符号化部３２は、映像信号変換部３１から出力された信号を符号化して記録再生部３３に出力する。記録再生部３３は、メモリ及びディスク等により構成され、符号化部３２から供給された映像信号又は音声記録信号処理部３７から供給された音声信号を蓄積する。また、記録再生部３３は、制御部３０によって再生が指示された映像信号又は音声信号を再生して、復号化部３４と音声再生信号処理部３８に供給する。
【００４５】
復号化部３４は、記録再生部３３で読み出された再生信号を復号化して、出力信号制御部３５に出力する。
【００４６】
出力信号制御部３５は、Ｎフレーム遅延部３５１と、モード切替部３５２と、出力信号切替部３５３とで構成される。Ｎフレーム遅延部３５１は、復号化部３４から出力された再生映像信号に、予め設定されたＮ（Ｎは自然数）フレーム分の遅延を加えて、モード切替部３５２に出力する。つまり、再生映像信号の再生位相を、基準となるタイムコードに対してＮフレーム分ずらす処理を行う。このとき、エディタ１での調走制御用にエディタ１に出力するタイムコードの位相は、基準位相のままとするものとする。
【００４７】
再生位相のシフト量であるＮフレームは、映像信号変換部３１での処理時間（ＥＥ遅延時間）に対応して設定される。ＥＥ遅延量が例えば２フレームである場合には、Ｎフレーム遅延部３５１に設定される遅延量は２フレームとなる。
【００４８】
モード切替部３５２はスイッチで構成され、復号化部３４から出力された映像信号と、Ｎフレーム遅延部３５１から出力された映像信号（第２の映像信号）のうち、いずれかを選択して出力信号切替部３５３に供給する。この選択は、制御部３０から供給されるモード切替制御信号に応じて行われる。具体的には、モード切替制御信号によって「通常モード」への切り替えが指示された場合には、その接続先を復号化部３４側に切り替え、「編集モード」への切り替えが指示された場合には、接続先をＮフレーム遅延部３５１側に切り替える。
【００４９】
これにより、「通常モード」選択時には、記録再生部３３で再生され、復号化部３４で復号化された映像信号が選択されるようになる。また、「編集モード」選択時には、記録再生部３３で再生され、復号化部３４で復号化された後に、Ｎフレーム遅延部３５１でＥＥ遅延量に相当するＮフレームの遅延が加えられた映像信号が選択されるようになる。
【００５０】
出力信号切替部３５３はスイッチで構成され、映像信号変換部３１からＥＥ出力された映像信号と、モード切替部３５２から出力された映像信号のうち、いずれかを選択してビデオモニタ４に供給する。この選択は、制御部３０から供給されるＲ−Ｐ−Ｒ制御信号に応じて行われる。
【００５１】
具体的には、編集ＩＮ点の指定タイミングで生成されたＲ−Ｐ−Ｒ制御信号が入力された場合には、その接続先を映像信号変換部３１側に切り替えて、ＥＥ出力された映像信号をビデオモニタ４に供給する。編集ＯＵＴ点の指定タイミングで生成されたＲ−Ｐ−Ｒ制御信号が入力された場合には、その接続先をモード切替部３５２側に切り替えて、Ｎフレーム遅延部３５１によってＮフレーム分の遅延が加えられた映像信号をビデオモニタ４に供給する。
【００５２】
なお、制御部３０より「通常モード」への切り替えを指示するモード切替制御信号が入力された場合には、スイッチの接続先はモード切替部３５２側に固定される。そして、モード切替部３５２によって選択された、復号化部３４からの映像信号（ＥＥ遅延量に相当する遅延が加えられていない映像信号）が、ビデオモニタ４に出力されるようになる。
【００５３】
入力バッファ３６は、プレーヤ２で再生された音声信号を一時的に蓄積して音声記録信号処理部３７に出力する。つまり、音声信号においては、映像信号におけるＥＥ遅延に相当するような遅延は発生しない。
【００５４】
音声記録信号処理部３７は、入力バッファ３６から出力された音声信号のレベル（音量）調整や、ｃｈ（チャンネル）ミックス処理、ミューティング（消音）処理、記録音声信号のタイミング調整処理等を行う。そして、これらの調整を行った音声信号を記録再生部３３に出力する。
【００５５】
音声再生信号処理部３８は、記録再生部３３で再生された音声信号のレベル調整や、ｃｈミックス処理、ミューティング処理、再生音声信号のタイミング調整処理等を行う。そして、これらの調整を行った音声信号を出力信号制御部３９に出力する。
【００５６】
出力信号制御部３９には、出力信号切替部３９１と、Ｎフレーム遅延部３９２と、モード切替部３９３とが含まれる。出力信号切替部３９１はスイッチで構成され、制御部３０から供給されるＲ−Ｐ−Ｒ制御信号に基づいて、入力バッファ３６から出力（ＥＥ出力）された音声信号と、音声再生信号処理部３８から出力された音声信号のいずれかを選択する。
【００５７】
そして、出力信号切替部３９１は、選択した音声信号をＮフレーム遅延部３９２とモード切替部３９３に出力する。
【００５８】
Ｎフレーム遅延部３９２は、出力信号切替部３９１から出力された音声信号にＮフレーム分の遅延を加えて出力する。Ｎフレーム遅延部３９２には、Ｎフレーム遅延部３５１に設定されたものと同一の遅延量が予め設定されているものとする。つまり、Ｎフレーム遅延部３９２での処理は、映像信号側との出力タイミング調整の目的で行うものである。
【００５９】
モード切替部３９３はスイッチで構成され、出力信号切替部３９１から出力された音声信号と、Ｎフレーム遅延部３９２から出力された音声信号のうち、いずれかを選択してスピーカ５に供給する。この選択は、制御部３０から供給されるモード切替制御信号に応じて行われる。具体的には、モード切替制御信号によって「通常モード」への切り替えが指示された場合には、その接続先を出力信号切替部３９１側に切り替え、「編集モード」への切り替えが指示された場合には、接続先をＮフレーム遅延部３９２側に切り替える。
【００６０】
これにより、「通常モード」選択時には、記録再生部３３で再生され、音声再生信号処理部３８で所定の信号処理が施された音声信号が選択され、スピーカ５に出力されるようになる。また、「編集モード」選択時には、記録再生部３３で再生され音声再生信号処理部３８で所定の信号処理が施された後に、Ｎフレーム遅延部３９２でＥＥ遅延量に相当するＮフレーム分の遅延が加えられた音声信号が選択され、スピーカ５に出力されるようになる。
【００６１】
［レコーダの動作例］
次に、図３のフローチャートを参照して、レコーダ３の動作の例を説明する。まず、モードとして「編集モード」が選択されているか否かが判断される（ステップＳ１）。すなわち、レコーダ３の制御部３０で、エディタ１から「編集モード」を選択する制御信号が供給されたか否かが判断される。
【００６２】
「編集モード」ではなく、「通常モード」の選択が指示された場合には、モード切替部３５２とモード切替部３９３の接続先が、「通常モード」側に切り替えられる（ステップＳ２）。つまり、映像信号側のモード切替部３５２では復号化部３４側が選択され、音声信号側のモード切替部３９３では、出力信号切替部３９１側が選択される。
【００６３】
続いて、レコーダ３で再生された映像信号及び音声信号が、ビデオモニタ４とスピーカ５に出力される（ステップＳ３）。すなわち、記録再生部３３で再生された下地の映像／音声信号が、ビデオモニタ４とスピーカ５に出力される。次に、再生が終了したか否かが判断され（ステップＳ４）、終了した場合にはここで処理も終了となる。再生が終了していない場合は、ステップＳ３に戻って処理が続けられる。
【００６４】
ステップＳ１において「編集モード」が選択されていると判断された場合には、制御部３０の制御によって、モード切替部３５２とモード切替部３９３の接続先が、「編集モード」側に切り替えられる（ステップＳ５）。つまり、映像信号側のモード切替部３５２ではＮフレーム遅延部３５１側が選択され、音声信号側のモード切替部３９３でも、Ｎフレーム遅延部３９２側が選択される。
【００６５】
続いて、制御部３０より編集の終了を通知する制御信号が入力されたか否かが判断され（ステップＳ７）、編集の終了が通知された場合には処理はここで終了となる。編集の終了が通知されていない場合は、次に、エディタ１によって編集ＩＮ点の設定がされたか否かが判断される（ステップＳ８）。
【００６６】
編集ＩＮ点を指定する指示がされていない場合は、ステップＳ７に戻って判断が続けられる。編集ＩＮ点を指定する指示が入力された場合には、レコーダ３のＥＥ出力映像信号とＥＥ出力音声信号とを、ビデオモニタ４とスピーカ５に出力する制御が行われる（ステップＳ９）。すなわち、映像信号側の出力信号切替部３５３の接続先が映像信号変換部３１側（ＥＥ出力側）に切り替えられ、音声信号側のモード切替部３９３の接続先が入力バッファ側（ＥＥ出力側）に切り替えられる。
【００６７】
次に、エディタ１より編集ＯＵＴ点の指定がされたか否かが判断され（ステップＳ１０）、編集ＯＵＴ点が指定されていない場合は、ステップＳ９に戻って処理が続けられる。編集ＯＵＴ点が指定された場合には、ステップＳ６に戻って処理が続けられる。
【００６８】
このような処理が行われることにより、「通常モード」が選択されたときには、レコーダ３は記録再生部３３に蓄積された映像信号と音声信号を再生するプレーヤとして機能するようになる。一方、「編集モード」が選択されたときで、編集ＩＮ点が指示されたときには、ＥＥ出力映像／音声信号がビデオモニタ４とスピーカ５に出力される。また、編集ＯＵＴ点が指定されたときには、記録再生部３３から読み出され、ＥＥ遅延量に相当するＮフレーム分だけその再生位相がずらされた映像／音声信号が、ビデオモニタ４とスピーカ５に出力される。
【００６９】
［レコーダによるＲ−Ｐ−Ｒ制御処理の具体例］
図４は、ＥＥ遅延量が１フレームである場合の、レコーダ３でのＲ−Ｐ−Ｒ制御の例を示した図である。図４（ａ）には、プレーヤ２での再生映像／音声信号を「プレーヤ出力」として示してあり、図４（ｂ）にはレコーダ３からのＥＥ出力を示してある。また、図４（ｃ）には、通常モード選択時におけるレコーダ３での再生映像／音声信号を「レコーダ再生出力」として示してあり、図４（ｄ）には、編集モード選択時におけるレコーダ３からの再生映像／音声信号を「レコーダ再生出力」として示してある。図４（ｅ）には、Ｒ−Ｐ−Ｒ制御の結果レコーダ３から出力される映像／音声信号を「Ｒ−Ｐ−Ｒ制御出力」として示してある。
【００７０】
図４（ａ）に示すプレーヤ出力においては、編集ＩＮ点の設定時点ではフレーム“０”の映像信号が出力されているが、図４（ｂ）に示すＥＥ出力においては、ＥＥ遅延により１フレーム分の遅延が発生しており、フレーム“−１”の映像信号が出力されている。一方、図４（ｃ）に示すレコーダ再生出力においては、遅延のないフレーム“０”の映像信号が出力されている。本例のレコーダ３では、編集を行わず、再生だけを行う「通常モード」においては、図４（ｃ）に示す動作が行われる。
【００７１】
図４（ｄ）は、「編集モード」が選択された場合のレコーダ３の再生出力を示したものである。「編集モード」が選択された場合には、前述したような処理が行われることにより、ＥＥ遅延量に相当するＮフレーム分だけその再生位相がずらされた再生映像／音声信号が、レコーダ３から出力されるようになる。図４（ｄ）に示した例では、１フレーム分遅延が加えられた再生映像／音声信号が出力されている。
【００７２】
そして、編集ＩＮ点と編集ＯＵＴ点のタイミングで出力を切り替えるＲ−Ｐ−Ｒ制御が行われることで、図４（ｅ）に示したような映像／音声信号がレコーダ３から出力される。つまり、編集ＩＮ点が設定されるまでの間はＥＥ遅延量に合わせてその再生位相がずらされた再生映像／音声信号が出力され、編集ＩＮ点が設定された時点で、ＥＥ遅延が加わったＥＥ出力に切り替えられる。
【００７３】
これにより、プレーヤ２からの入力信号に基づくＥＥ出力と、レコーダ３による再生出力における再生位相が一致するようになる。
【００７４】
［実施の形態による効果］
上述した実施の形態によれば、ＥＥ遅延量が大きいレコーダ３においても、コンフィ再生を行うことなく、ＥＥ出力の再生位相とレコーダ３による再生出力の再生位相とを一致させた状態で、ビデオモニタ４とスピーカ５に映像／音声信号が出力されるようになる。このため、コンフィ再生を行う場合と比較して、ビデオモニタ４とスピーカ５に出力される映像／音声信号の遅延量を削減することができる。従って、リアルタイム編集に求められるリアルタイム性を損なうことなく、Ｒ−Ｐ−Ｒ制御を実現することができる。
【００７５】
また、上述した実施の形態によれば、レコーダ３による再生映像／音声信号に、ＥＥ遅延量に相当するＮフレーム分の遅延を加えるという容易な手法で、ＥＥ出力の位相とレコーダ３による再生出力の位相とのずれの問題を解消することができる。
【００７６】
また、上述した実施の形態によれば、ＥＥ遅延が発生する映像信号だけでなく、音声信号にもＥＥ遅延に相当する遅延量を加えて出力する制御が行われるため、映像信号と音声信号とが同期した状態でＲ−Ｐ−Ｒ制御が実施されるようになる。
【００７７】
また、上述した実施の形態では、「編集モード」においても、基準となるタイムコードの位相は変えずに、レコーダ３からの再生位相のみをシフトするようにしているため、エディタ１側での制御内容を変更する必要がなくなる。つまり、レコーダ３側の構成や処理を変更するだけで、リアルタイム性を損なうことのないＲ−Ｐ−Ｒ制御を容易に実現することができる。
【００７８】
また、上述した実施の形態によれば、レコーダ３による再生映像／音声信号の再生位相のシフトは、「編集モード」が選択された場合にのみ行われる。これにより、「編集モード」が選択されていないとき、すなわち「通常モード」が選択されたときには、レコーダ３からは、再生位相がずれていない通常の位相の映像／音声信号が出力されるようになる。よって、モードを「通常モード」に切り替えるという単純な操作によって、内部の設定等を変えることなく、レコーダ３をプレーヤとして使用できるようになる。
【００７９】
［変形例］
なお、上述した実施の形態では、音声信号側の処理において、Ｎフレーム遅延の処理を、出力信号切替部３９１（図２参照）で選択されたＥＥ出力信号又はレコーダ再生出力信号に対して行い、その後にモードによる出力信号の切り替えを行っている。しかし、処理の順番はこれに限定されるものではない。例えば、映像信号側と同様に、まずＮフレームの遅延が加えられたレコーダ再生出力と、遅延が加えられていないレコーダ再生出力とをモードの選択に応じて切り替え、その後に、出力信号切替部３９１によるＲ−Ｐ−Ｒ制御を行うように構成してもよい。また、映像信号変換処理部３１での処理を、再生信号の処理、例えば、モード切替部３５２の出力に対して行うような構成としてもよい。また、音声信号のＥＥ出力は、音声記録信号処理部３７の出力から得てもよい。
【符号の説明】
【００８０】
１…エディタ、２…プレーヤ、３…レコーダ、４…ビデオモニタ、５…スピーカ、１０…編集システム、３０…制御部、３１…映像信号変換部、３２…符号化部、３３…記録再生部、３４…復号化部、３５…出力信号制御部、３６…入力バッファ、３７…音声記録信号処理部、３８…音声再生信号処理部、３９…出力信号制御部、５０…編集システム、１００…エディタ、２００…プレーヤ、３００…レコーダ、３５１…Ｎフレーム遅延部、３５２…モード切替部、３５３…出力信号切替部、３９１…出力信号切替部、３９２…Ｎフレーム遅延部、３９３…モード切替部、４００…ビデオモニタ、５００…スピーカ
【図１】
0005487771.tif 000002
【図２】
0005487771.tif 000003
【図３】
0005487771.tif 000004
【図４】
0005487771.tif 000005
【図５】
0005487771.tif 000006
【図６】
0005487771.tif 000007
【図７】
0005487771.tif 000008
【図８】
0005487771.tif 000009